(57)【要約】【課題】ハジキを無くし、傘の軽薄短小化を達成するロクロ構造を提供する。【解決手段】下ロクロ上方に形成される係止部を備えた可撓性係止舌片と、上ロクロに形成される係止部に対応する係合部と、下ロクロの下方に環装される把持部と、下ロクロの上方に環装されるロクロ固定部とを備え、係止舌片は、上方先端に向かって傾斜し、把持部とロクロ固定部は、連結された状態で下ロクロに環装されて下ロクロに対して一体的に摺動し、把持部を上方へ摺動させる動作に伴って下ロクロが上死点に至り、上死点では係止部と係合部が対応する位置関係となり、上死点において把持部を下ロクロに対してさらに上方に摺動するとロクロ固定部が上方へ摺動して係止舌片先端が当該ロクロ固定部の筒内壁により押圧されて傾斜と反対方向に弾性変形し、係止部と係合部とが係合して下ロクロを摺動不能にし、開傘状態を維持するロクロ構造としている。【選択図】図５
2008264033.tif 000002
【特許請求の範囲】
【請求項１】
中棒の上部に固定された上ロクロと、受け骨の枢支部を備えて上ロクロの下方にて中棒に摺動自在に案内される下ロクロとからなる傘のロクロ構造において、
下ロクロ上方に形成された弾性変形可能な係止舌片と、
係止舌片に形成された係止部と、
上ロクロの外周に形成された前記係止部に対応する係合部と、
下ロクロの下方外周に環装されて、下ロクロに対して摺動可能な中空筒状の把持部と、
下ロクロの上方外周に環装されて、下ロクロと対して摺動可能な中空筒状のロクロ固定部と、
を備え、
把持部とロクロ固定部は、環装された状態で受け骨の枢支部を上下に挟んで連結されて一体的に摺動し、
係止舌片は、弾性変形していない定常状態において、上方先端に向かって傾斜し、
下ロクロは、把持部を上方へ摺動させる動作に伴って上死点に至り、係止部と係合部は、当該上死点において対応する位置関係となり、
ロクロ固定部は、前記上死点において把持部を下ロクロに対してさらに上方に摺動する動作に連動して上方へ摺動し、係止舌片先端を筒内壁により押圧して傾斜と反対方向に弾性変形させることで係止部と係合部とを係合させるとともに、下ロクロを摺動不能にして、開傘状態を維持させる
ことを特徴とする傘のロクロ構造。
【請求項２】
請求項１において、前記係止舌片は、定常状態において、基部から先端に向けて中棒に対して放射方向外側に傾斜し、係止部は、係止舌片先端において中棒方向に屈曲形状となるフックであり、係合部は、上ろくろの外周に形成されて当該フックを引っ掛ける凹部であることを特徴とする傘のロクロ構造。
【請求項３】
請求項１において、前記係止舌片は、定常状態において、基部から先端に向けて中棒の軸と平行しつつ左右いずれかの方向に傾斜し、係止部は、係止舌片先端において、傾斜方向と反対の方向に屈曲形状となるフックであり、係合部は、上ロクロの外周に形成されて、当該フックを引っ掛ける突起であることを特徴とする傘のロクロ構造。
【請求項４】
請求項１において、前記係止舌片は、定常状態において、基部から先端に向けて中棒に対して放射方向外側に傾斜し、係止部は、係止舌片に穿設された穴であり、係合部は、上ロクロの外周に形成されて当該穴に挿入される突起であることを特徴とする傘のロクロ構造。
【請求項５】
請求項１〜４のいずれかにおいて、上ロクロと下ロクロとが結合した状態で、下ロクロ、あるいは把持部の筒内壁を中棒に押圧することで、下ロクロの横揺れを防止する横揺れ防止機構を備えたことを特徴とする傘のロクロ構造。
【請求項６】
請求項５において、横揺れ防止機構は、下ロクロの外面の下方に突設された突起と、把持部内壁に画成されて上方に開放する溝とからなり、
当該突起は、把持部の上方への摺動動作に連動して溝に案内されるとともに、上下のロクロが結合した状態では、溝の終端部に当接したのち溝を乗り越えて当該突起の裏側の下ロクロ内壁を中棒側に湾曲させて中棒を押圧する
ことを特徴とする傘のロクロ構造。
【請求項７】
請求項５において、横揺れ防止機構は、把持部の内壁下方に突設された突起と、下ロクロの外壁に下方に開放するスリットであり、
当該突起は、把持部の上方への摺動動作に連動してスリットに案内されるとともに、上下のロクロが結合した状態では、スリットの終端部に当接したのち下ロクロの外面に乗り上げ、下ロクロ内壁を中棒側に湾曲させて中棒を押圧する
ことを特徴とする傘のロクロ構造。
【発明の詳細な説明】
【技術分野】
【０００１】
この発明は傘のロクロ構造に関し、具体的にはハジキを用いずに、上下のロクロを連結させて開傘状態を維持するためのロクロ構造に関する。
【背景技術】
【０００２】
図１２に従来のロクロ構造の概略図を示した。ロクロ構造は、中棒３が固定されるとともに、親骨４の枢支部１１を備えた上ロクロ１と、受け骨５の枢支部２１を備えて中棒３に案内されて摺動する中空筒状の下ロクロ２とからなる。下ロクロ２には、傘を開くときに人が手に持って当該下ロクロ２を上方へ摺動させるための把持部４０が一体的に形成されている。中棒３内に出没可能なハジキ６は、上端を水平な底辺とする略三角形状の薄いプレートで、中棒３内にあるバネによって突出方向へ付勢されている。
【０００３】
開傘時に下ロクロ２を上方へ摺動させると、ハジキ６は、突出状態から一旦、下ロクロ３の筒内壁により押圧されて中棒３内に収納されたのち、下ロクロ２が上死点まで摺動されると、筒内壁による圧力より開放され、下ロクロ２の下方にて突出し、その底辺が下ロクロ２の下端に当接する。それによって、下ロクロ２の下方への摺動動作を不能にし、開傘状態を維持させる。なお、図１２に示したロクロ構造は、以下の特許文献に記載されている傘に採用されているものと同様である。
【特許文献１】特開２００６−１０２５３４
【発明の開示】
【発明が解決しようとする課題】
【０００４】
従来のロクロ構造では、開傘状態にある傘を閉じるとき、ハジキを指先の腹でバネに抗して中棒内に押し込む。そのため、薄いプレートの端面が指先の腹に食い込み、痛みを感じることがある。ハジキを押し込むと、下ロクロが下端の支えを失って急速に下方に摺動し、ハジキを押し込んだ指が下ロクロと中棒との間に挟まれることもある。
【０００５】
ハジキは、中棒内にバネを収納する構造のため、バネが中棒内で引っかかるなどして、ハジキが出没不能となる不良が発生することがある。経年変化による錆や変形などによって出没不能になることもある。このように、ハジキを必要とするロクロ構造自体に問題がある。
【０００６】
またハジキは、上端を水平な底辺とする略三角形状であり、バネの圧力により中棒の外へ逸脱してしまわないように、中棒延長方向に沿う上下方向の辺の長さが中棒外に突出している長さよりかなり長くなっている。そのため、伸縮式の中棒構造を有する折り畳み傘では、折り畳み時の傘の全長を規定する最上段の中棒にハジキを収納するための長さが必要となり、折り畳み時の傘の全長を劇的に短縮することは極めて困難であった。
【０００７】
折り畳み傘では、下へ向かって径が太くなるように中棒が入れ子式になっており、最上段の中棒は、ハジキを収納するための太さが必要となる。そのため、入れ子の段数が多い折り畳み傘ほど、折り畳み時に、全長の長さに半比例して径が太くなる。また、重量もかさむ。そのため、折り畳み時の小型・軽量化に限界があった。もちろん、中棒を細くすることによる軽量化は、折り畳み傘だけでなく、傘の携行時／使用時を問わず、快適性を向上させるために必要である。
【０００８】
本発明は、上記課題に鑑みなされたもので、その目的は、開傘時や閉傘時にハジキを操作することの不具合を無くし、軽量化や折り畳み傘における収納時の小型化などを達成するための傘のロクロ構造を達成することにある。
【課題を解決するための手段】
【０００９】
上記課題を解決するための本発明は、中棒の上部に固定された上ロクロと、受け骨の枢支部を備えて上ロクロの下方にて中棒に摺動自在に案内される下ロクロとからなる傘のロクロ構造において、以下の事項（１）〜（９）によって特定されるものである。  
（１）下ロクロ上方に形成された弾性変形可能な係止舌片を備えること
（２）係止舌片に形成された係止部を備えること
（３）上ロクロの外周に形成された前記係止部に対応する係合部を備えること
（４）下ロクロの下方外周に環装されて、下ロクロに対して摺動可能な中空筒状の把持部を備えること
（５）下ロクロの上方外周に環装されて、下ロクロと対して摺動可能な中空筒状のロクロ固定部を備えること
（６）把持部とロクロ固定部は、環装された状態で受け骨の枢支部を上下に挟んで連結されて一体的に摺動すること
（７）係止舌片は、弾性変形していない定常状態において、上方先端に向かって傾斜していること
（８）下ロクロは、把持部を上方へ摺動させる動作に伴って上死点に至り、係止部と係合部は、当該上死点において対応する位置関係となること
（９）ロクロ固定部は、前記上死点において把持部を下ロクロに対してさらに上方に摺動する動作に連動して上方へ摺動し、係止舌片先端を筒内壁により押圧して傾斜と反対方向に弾性変形させることで係止部と係合部とを係合させるとともに、下ロクロを摺動不能にして、開傘状態を維持させること
【００１０】
本発明は、上記（１）〜（９）の事項と、以下の事項（21）（31）（41）のいずれかとによって特定されるロクロ構造とすることができる。  
（21）前記係止舌片は、定常状態において、基部から先端に向けて中棒に対して放射方向外側に傾斜し、係止部は、係止舌片先端において中棒方向に屈曲形状となるフックであり、係合部は、上ろくろの外周に形成されて当該フックを引っ掛ける凹部であること
【００１１】
（31）前記係止舌片は、定常状態において、基部から先端に向けて中棒の軸と平行しつつ左右いずれかの方向に傾斜し、係止部は、係止舌片先端において、傾斜方向と反対の方向に屈曲形状となるフックであり、係合部は、上ロクロの外周に形成されて、当該フックを引っ掛ける突起であること
【００１２】
（41）前記係止舌片は、定常状態において、基部から先端に向けて中棒に対して放射方向外側に傾斜し、係止部は、係止舌片に穿設された穴であり、係合部は、上ロクロの外周に形成されて当該穴に挿入される突起であること
【００１３】
また、上記いずれかに記載のロクロ構造に、以下の事項（51）をさらに加えたロクロ構造も本発明の範囲である。  
（51）上ロクロと下ロクロとが結合した状態で、下ロクロ、あるいは把持部の筒内壁を中棒に押圧することで、下ロクロの横揺れを防止する横揺れ防止機構を備えていること
【００１４】
なお、上記事項（51）に記載の横揺れ防止機構は、以下の事項（61）と（62）、あるいは（71）と（72）によって特定されることとしてもよい。  
（61）横揺れ防止機構は、下ロクロの外面の下方に突設された突起と、把持部内壁に画成されて上方に開放する溝とからなること
（62）当該突起は、把持部の上方への摺動動作に連動して溝に案内されるとともに、上下のロクロが結合した状態では、溝の終端部に当接したのち溝を乗り越えて当該突起の裏側の下ロクロ内壁を中棒側に湾曲させて中棒を押圧すること
【００１５】
（71）横揺れ防止機構は、把持部の内壁下方に突設された突起と、下ロクロの外壁に下方に開放するスリットであり、
（72）当該突起は、把持部の上方への摺動動作に連動してスリットに案内されるとともに、上下のロクロが結合した状態では、スリットの終端部に当接したのち下ロクロの外面に乗り上げ、下ロクロ内壁を中棒側に湾曲させて中棒を押圧すること
【発明の効果】
【００１６】
本発明のロクロ構造によれば、ハジキを不要とし、ハジキ操作時の指の損傷や、ハジキの出没不良による傘の機能不全をなくすことができる。また、中棒にハジキを収納するための長さや太さが不要となり、傘の軽薄化を達成できる。折り畳み傘においては、折り畳み時の全長を規定する最上段の中棒を短くでき、折り畳み時の全長を極めて短くすることができる。
【発明を実施するための最良の形態】
【００１７】
＝＝＝本発明の基本的なロクロ構造＝＝＝
本発明におけるロクロの基本的な構造は、従来と同様に、親骨の枢支部を備えて中棒の上端に固定される上ロクロと、受け骨の枢支部を備えて上ロクロの下方にて中棒に摺動自在に案内される下ロクロとからなる。しかし、本実施例のロクロ構造によれば、開傘状態を維持するためにハジキを必要としない。
【００１８】
概略的には、下ロクロには、その上部において上方に延長してその先端に係止部を備えた可撓性を有する係止舌片が形成され、上ロクロには、係止部に対応する係合部が形成されている。そして、係止部と係合部との係合状態を強制して上下のロクロの連結状態を固定し、開傘状態を維持する構造となっている。
【００１９】
＝＝＝第１の実施例＝＝＝
＜ロクロ構造＞
図１に、本発明の第１の実施例におけるロクロ構造を右上方からの分解斜視図として示した。また、図２に組み立てられた状態にあるロクロ構造を右上方からの斜視図として示した。中棒に案内されて摺動可能な中空筒状の下ロクロ２ａは、その筒側面中央部において、左右に翼状に張り出した受け骨の枢支部２１を備えている。受け骨の枢支部２１の上方と下方は筒状であり、枢支部２１を含めた下ロクロ２の筒内壁の水平断面は、左右両端が半円状に膨らんだ扁平な略矩形状となっている。
【００２０】
枢支部より上の筒状部２２ａでは、上端近傍の４隅に上下方向に切り欠かれたスリット２４ａが形成され、筒断面形状の略矩形の前後左右が上方に延長する舌片となっている。左右側壁、すなわち半円状の側壁に形成された舌片２５ａは、上方に向かって筒外方向に傾斜し、その舌片の上部先端は、筒内側に屈曲しフック２６ａとなっている。
【００２１】
上ロクロ１ａは、上方に親骨の枢支部１１を備え、下方が下ロクロ２ａの中空筒内に挿入される筒状部１３ａとなっている。親骨枢支部１１の基部に当たる筒状部１３ａの上端の左右側面には、下ロクロ２ａのフック２６ａに係合する凹部１２ａが画成されている。このように、第１の実施例では、下ロクロ２ａのフック２６ａが係止部であり、その係止部を備えた舌片２５ａが係止舌片となっている。そして、上ロクロ１ａの凹部１２ａが係止部２６ａに対応する係合部となっている。
【００２２】
下ロクロ２ａの枢支部２１より下の筒状部２３ａには、下ロクロ２ａとは別体の中空筒状の把持部４０ａが当該筒状部２３ａに対して摺動可能に環装されている。また、枢支部２１より上の筒状部に２２ａは、この筒状部２２ａに対して摺動可能な中空筒状のロクロ固定部５０ａが環装されている。把持部４０ａとロクロ固定部５０ａとは、枢支部２１を挟んで上下に連結され、把持部４０ａとロクロ固定部５０ａとが連動して下ロクロ２ａに対して一体的に摺動する。本実施例では、把持部４０ａの上端に一体的に形成されて上方に延長する連結部４１が形成され、その連結部４１の上端にある臍穴４２とロクロ固定部５０ａの側面にある臍５１とを嵌合することで把持部４０ａとロクロ固定部５０ａとを結合している。
【００２３】
＜開傘動作＞
図３に第１の実施例におけるロクロ構造による開傘動作の手順を図２のＡ−Ａ矢視断面図によって示した。閉傘時において、下ロクロ２ａは、上ロクロ１ａと離れた下方にあり、把持部４０ａとそれに連結されたロクロ固定部５０ａは、下ロクロ２ａに対して相対的に下方にある。この状態において、係止舌片２５ａの先端にある係止部２６ａは、下ロクロ２ａの上方の筒状部２２ａの外面、すなわちロクロ固定部５０ａの内壁面より外側にある（Ａ）。
【００２４】
ここで、開傘するために、把持部４０ａを手に持って上方へ摺動させると、下ロクロ２ａの外面と把持部４０ａ内壁との摩擦により、把持部４０ａの摺動動作に連動して下ロクロ２ａが一体的に中棒に対して摺動する。そして、下ロクロ２ａ上方の係止舌片２５ａを包含する筒状部２２ａが上ロクロ１ａ下方の筒状部１３ａに挿入され、下ロクロ２ａが上死点に至る（Ｂ）。この時点で、係止部２６ａと係合部１２ａが対応位置に対向する。しかし、この状態では、係止部２６ａと係合部１２ａは係合しておらず、上ロクロ１ａと下ロクロ２ａは連結状態にない。すなわち、開傘状態を維持することができない。
【００２５】
次に、把持部４０ａを摩擦に抗して下ロクロ２ａに対してさらに上方に摺動すると、その摺動動作に連動してロクロ固定部５０ａが上方へ摺動する。そして、ロクロ固定部５０ａが係止舌片２５ａの先端まで摺動される。このとき、係止舌片２５ａがロクロ固定部５０ａの筒内壁により押圧されて弾性変形し、係止舌片２５ａの先端にある係止部２６ａが係合部１２ａに係合する。把持部４０ａは、下ロクロ２ａとの摩擦により下方への摺動が規制され、ロクロ固定部５０ａによる係止部２６ａと係合部２６ａとの係合状態が維持される。それによって、下ロクロ２ａが摺動不能となり、開傘状態が維持される（Ｃ）。傘を閉じるときは、把持部４０ａを摩擦に抗して下方に摺動させればよい。それによって、ロクロ固定部５０ａの上端が係止舌片２５ａの基部近傍まで摺動し、係止舌片２５ａが自らの弾性により中棒外方向に先端が広がった沿った傾斜状態に復元し、係止部２６ａと係合部１２ａの係合状態が解除する。なお、図４と図５に、第１の実施例のロクロ構造を採用した傘の閉傘時と開傘時の状態をそれぞれ示した。
【００２６】
＝＝＝第２の実施例＝＝＝
図６に本発明の第２の実施例におけるロクロ構造を右上方からの分解斜視図として示した。また、図７に組み立てられた状態にある当該実施例のロクロ構造を右上方からの斜視図として示した。この第２の実施例では、翼状の受け骨枢支部２１の延長方向を左右方向として、係止舌片２５ｂは、下ロクロ２ｂ上方の筒状部２２ｂの前後の側壁を切り欠いて形成されており、基部から上端へ向かって左方向に傾斜した形状となっている。すなわち係止舌片２５ｂは、基部から先端に向けて中棒の軸と平行しつつ左方向に傾斜している。係止部２６ｂは、係止舌片２５ｂの先端において、当該係止舌片２５ｂの傾斜方向と反対の方向、すなわち右方向に屈曲形状となるフックであり、係合部１２ｂは、上ロクロ１ｂの外周の前後面に突設された突起である。
【００２７】
ロクロ固定部５０ｂの内壁には、係止舌片２５ｂと係合部１２ｂを案内するための溝５２が画成されており、下ロクロ２ｂに把持部４０ｂとロクロ固定部５０ｂを環装した状態では、係止舌片２５ｂの基部の幅と溝の幅とがほぼ一致し、係止舌片２５ｂは、溝５２の側壁（５３，５４）に案内されてロクロ固定部５０ｂに対して相対的に摺動可能となっている。
【００２８】
図８に第２の実施例におけるロクロ構造による開傘動作の手順を図７のＢ−Ｂ矢視断面図によって示した。第１の実施例と同様に、閉傘時において、下ロクロ２ｂは、上ロクロ１ｂと離れた下方にあり、把持部４０ｂとそれに連結されたロクロ固定部５０ｂは、下ロクロ２ｂに対して相対的に下方にある。この状態において、係止舌片２５ｂの先端にある係止部２６ｂは、ロクロ固定部５０ｂの溝５２における係止舌片３５ｂの傾斜方向側壁面５４より外側にある（Ａ）。
【００２９】
本実施例では、下ロクロ２ｂ下方の円筒部２３ｂは上方の円筒部２２ｂと同様に、四隅にスリット２８が画成されて略矩形筒状の各側壁が舌片状に形成されている。そして、左右の側壁には突起２７が形成されている。また、把持部４０ｂの筒内壁には、その突起２７を案内するための溝４３が画成されている。第２の実施例では、開傘するために、把持部４０ｂを手に持って上方へ摺動させると、下ロクロ２ｂの外壁に突設された突起２７が把持部４０ｂ内壁の溝４３に案内されつつ、溝４３の終端４４に当接し、把持部４０ｂの摺動動作に連動して下ロクロ２ｂが上方に持ち上げられ、一体的に中棒に対して上方に摺動する。そして、下ロクロ２ｂ上方の係止舌片２５ｂを包含する筒状部２２ｂが上ロクロ１ｂ下方の筒状部１３ｂに挿入され、下ロクロ２ｂが上死点に至る（Ｂ）。この時点で、係止部２６ｂと係合部１２ｂが対応関係の位置となる。しかし、この状態では、上ロクロ１ｂと下ロクロ２ｂは連結状態で固定されてはいない。すなわち、開傘状態を維持することができない。
【００３０】
把持部４０ｂ内壁の溝４３の終端４４はテーパー加工が施されており、溝４３の底面と把持部４０ｂの内壁面４５とは段差がなく連続している。そして、溝４３の終端４４に当接している突起２７の圧力に抗して、さらに把持部４０ｂを下ロクロ２ｂに対して上方に摺動すると、当該テーパー状の終端４４に案内されて突起２７が把持部４０ｂ内壁面４５の高さまで乗り上げ、突起２７が形成されている下ロクロ２ｂ下方の筒状部２３ｂの側壁２９を撓ませながら、把持部４０ｂと連結されているロクロ固定部５０ｂが係止舌片２５ｂ先端まで摺動される。
【００３１】
ロクロ固定部５０ｂが下ロクロ２ｂに対して上方へ摺動すると、係止舌片２５ｂがロクロ固定部５０ｂにおける当該舌片２５ｂの傾斜方向側にある溝５３の側壁５４により押圧されて傾斜方向とは逆の左方向に撓み、係止舌片２５ｂの先端にある係止部２６ｂが係合部１２ｂに係合する。ロクロ固定部５０ｂは、この係合状態を維持し、下ロクロ２ｂを摺動不能にして、開傘状態を維持させる（Ｃ）。
【００３２】
なお、本発明のロクロ構造によれば、ハジキを無くした構造により中棒を細くすることが可能である。しかしその反面、中棒と下ロクロの中空円筒内壁とに間隙が生じ、その間隙によって下ロクロが中棒に対して横揺れする可能性がある。第２の実施例のロクロ構造には、その横揺れを防止する機構が組み込まれており、下ロクロ２ｂの下方側壁２９に形成された突起２７と把持部４０ｂの内壁に画成された溝４３がこの横揺れ防止機構として機能する。当該実施例における横揺れ防止機構では、開傘状態において、下ロクロ２ｂ下方の突起２７が把持部４０ｂの溝の終端４４から把持部内壁面４５に乗り上げた際、下ロクロ２ｂの突起２７がある側壁２９が中棒側へ撓み、この側壁２９の裏側の内壁３０が中棒を挟持することで、下ロクロ２ｂの横揺れを防止している。なお、下ロクロ２ｂの側壁２９に突設される突起２７の高さは、下ロクロ内壁３０と中棒との間隙に応じて設定すればよい。もちろん、第１の実施例のロクロ構造にもこの横揺れ防止機構を採用することができる。
【００３３】
＝＝＝第３の実施例＝＝＝
図９に本発明の第３の実施例におけるロクロ構造を右上方からの分解斜視図として示した。また、図１０に組み立てられた状態にある当該実施例のロクロ構造を右上方からの斜視図として示した。この第３の実施例では、下ロクロ２ｃに形成された翼状の受け骨枢支部２１の延長方向を左右方向として、係止舌片２５ｃは、定常状態において、基部から先端に向けて中棒に対して前後に放射方向外側に傾斜し、係止部２６ｃは、係止舌片２５ｃに穿設された矩形状の穴となっている。係合部１２ｃは、上ロクロ１ｃの外周に形成されて当該穴に挿入される突起であり、この例では、上方が平坦な面１４となるフック形状となっている。また、係合部１２ｃが上ロクロ１ｃ下方の筒状部１３ｃの外壁面に突設されているため、ロクロ固定部５０ｃの前後の内壁には係止舌片２５ｃを案内するとともに、係合部１２ｃの突起の高さを吸収するための溝５２ｃが画成されている。
【００３４】
この第３の実施例における開傘動作としては、把持部４０ｃを上方に摺動させる動作に伴って、まず下ロクロ２ｃが上死点に至り、さらに把持部４０ｃを下ロクロに対してさらに上方へ摺動させると、ロクロ固定部５０ｃの内壁が係止舌片２５ｃを中棒方向に押圧し、係止部となる係止舌片２５ｃに穿設さ矩形穴２６ｃが係合部であるフック１２ｃに係合した状態で固定される。すなわち、係止部１６ｃの矩形状の穴の上縁３１が係合部１２ｃの上縁平坦部１４に引っ掛かった状態で固定される。なお、この第３の実施例においても、第２の実施例と同様の横揺れ防止機構が採用されている。
【００３５】
＝＝＝下ロクロの横揺れ防止機構＝＝＝
下ロクロの横揺れ防止機構は、第２および第３の実施例に示した構造に限らない。例えば、第２、第３の実施例における下ロクロ（２ｂ、２ｃ）の下方筒状部（２３ｂ、２３ｃ）の構造を採用しつつ、側壁２８には突起を設けず、把持部の内壁に中棒方向へ突設する突起を設ける。それによって、開傘時に把持部内壁の突起に下ロクロの下方筒状部の側壁が外方向から中棒方向に押圧され、下ロクロの内壁が撓んで中棒を挟持する。
【００３６】
あるいは、その他の実施形態として、図１１（Ａ）（Ｂ）に示した横揺れ防止機構とすることもできる。（Ａ）に横揺れ防止機構の要部を一部破断した斜視図として示した。また、（Ｂ）に横揺れ防止機構の動作を（Ａ）におけるＣ−Ｃ矢視断面図にて示した。この例では下ロクロ２ｄ下方の筒状部２３ｄの左右側壁にスリット３２が画成され、把持部４０ｄの内壁にはこのスリット３２に案内される板バネ状の舌片４６が中棒方向に傾斜して形成されている。把持部４０ｄを上方へ摺動させると、板バネ状舌片４６の中央付近で下ロクロ２ｄのスリット３２の終端３３が当接し、下ロクロ２ｄが中棒に対して上方へ摺動する。下ロクロ２ｄが上死点に至り、さらに把持部４０ｄを上方へ摺動させると、板バネ状舌片４６の基部近傍にスリットの終端３３が当接し、それに伴って板バネ状舌片４６が中棒方向に撓み、この舌片４６が中棒を挟持する。それによって、下ロクロ２ｄが中棒に対して横揺れするのを防止している。
【図面の簡単な説明】
【００３７】
【図１】本発明の第１の実施例におけるロクロ構造の分解斜視図である。
【図２】上記第１の実施例におけるロクロ構造の斜視図である。
【図３】上記第１の実施例におけるロクロ構造による開傘動作の手順図である。
【図４】上記第１の実施例におけるロクロ構造を採用した傘の開傘状態を示す概略図である。
【図５】上記第１の実施例におけるロクロ構造を採用した傘の閉傘状態を示す概略図である。
【図６】本発明の第２の実施例におけるロクロ構造の分解斜視図である。
【図７】上記第２の実施例におけるロクロ構造の斜視図である。
【図８】上記第２の実施例におけるロクロ構造による開傘動作の手順図である。
【図９】本発明の第３の実施例におけるロクロ構造の分解斜視図である。
【図１０】上記第３の実施例におけるロクロ構造の斜視図である。
【図１１】本発明のその他の実施例における下ロクロ横揺れ防止機構の概略図である。（Ａ）は当該機構の要部一部破断斜視図であり、（Ｂ）は横揺れ防止機構の動作状態を示す概略図である。
【図１２】従来のロクロ構造を採用した傘の要部拡大図である。
【符号の説明】
【００３８】
１、１ａ〜１ｃ  上ロクロ
２、２ａ〜２ｄ  下ロクロ
３  中骨
４  親骨
５  受け骨
１１  親骨枢支部
１２ａ〜１２ｃ  係合部
２１  受け骨枢支部
２５ａ〜２５ｃ  係止舌片
２６ａ〜２６ｃ  係止部
４０、４０ａ〜４０ｃ  把持部
４１  連結部
５０ａ〜５０ｃ  ロクロ固定部
【図１】
2008264033.tif 000003
【図２】
2008264033.tif 000004
【図３】
2008264033.tif 000005
【図４】
2008264033.tif 000006
【図５】
2008264033.tif 000007
【図６】
2008264033.tif 000008
【図７】
2008264033.tif 000009
【図８】
2008264033.tif 000010
【図９】
2008264033.tif 000011
【図１０】
2008264033.tif 000012
【図１１】
2008264033.tif 000013
【図１２】
2008264033.tif 000014